(57)【特許請求の範囲】
【請求項１】
コイルと、
前記コイルが配置される環状のコイル台を含み、複数の分割フェライトによって形成されたフェライトと、
を備え、
前記コイル台は、複数の角部を有し、
前記コイル台は、前記角部を形成すると共に互いに間隔をあけて設けられた複数の角片と、前記角片間に設けられたサイド片とを含み、
前記分割フェライトは、短辺部と、前記短辺部から間隔をあけて設けられると共に前記短辺部よりも長い長辺部と、前記短辺部の一端および前記長辺部の一端とを接続する第１辺部と、前記短辺部の他端および前記長辺部の他端を接続すると共に前記第１辺部よりも長い第２辺部とを含み、
前記複数の分割フェライトは、前記角片を形成する第１分割フェライトおよび第２分割フェライトと、前記サイド片を形成する第３分割フェライトおよび第４分割フェライトとを含み、
前記第１分割フェライトと前記第２分割フェライトとは、前記第２辺部同士が対向するように配置され、前記角片の内周辺は、前記第１分割フェライトの短辺部と前記第２分割フェライトの短辺部とによって形成され、前記角片の外周辺は、前記第１分割フェライトの長辺部と前記第２分割フェライトの長辺部とによって形成され、
前記第３分割フェライトと前記第４分割フェライトとは、前記第２辺部同士が対向するように配置され、前記サイド片の内周辺は、前記第３分割フェライトの短辺部と、前記第４分割フェライトの長辺部とによって形成され、前記サイド片の外周辺は、前記第３分割フェライトの長辺部と、前記第４分割フェライトの短辺部によって形成された、コイルユニット。
【請求項２】
前記フェライトは、前記コイル台の内周縁部と接触するように配置されると共に、周囲を前記コイルによって囲まれた中央フェライトを含み、
前記中央フェライトは、複数の角部を有し、
前記中央フェライトは、前記中央フェライトの角部を形成すると共に、環状に配置された複数の中央角片を含み、
前記複数の分割フェライトは、前記中央角片を形成する第５分割フェライトおよび第６分割フェライトを含み、前記第５分割フェライトと前記第６分割フェライトは、前記第２辺部同士が対向するように配置され、前記中央角片の内周辺は、前記第５分割フェライトの短辺部と前記第６分割フェライトの短辺部とによって形成され、前記中央角片の外周辺は、前記第５分割フェライトの長辺部と前記第６分割フェライトの長辺部とによって形成された、請求項１に記載のコイルユニット。
【発明の詳細な説明】
【技術分野】
【０００１】
本発明は、コイルと、コイルが配置されたフェライトを含むコイルユニットに関する。
【背景技術】
【０００２】
従来から送電装置から非接触で受電装置に電力を送電する非接触充電システムについて各種提案されている（特許文献１〜５）。
【０００３】
特開２００８−１２０２３９号公報には、コイルおよびＥ型コアとを含むコイルユニットについて記載されている。Ｅ型コアは、上方から平面視すると、長方形形状に形成されており、両辺部に形成された凸部と、中央部に形成された中央凸部とを含む。
【０００４】
このＥ型コアは、複数のブロックコアを積層することで形成されており、ブロックコア同士は互いに接触するように配置されている。そして、コイルがＥ型コアの中央凸部に装着されている。
【先行技術文献】
【特許文献】
【０００５】
【特許文献１】特開２０１３−１５４８１５号公報
【特許文献２】特開２０１３−１４６１５４号公報
【特許文献３】特開２０１３−１４６１４８号公報
【特許文献４】特開２０１３−１１０８２２号公報
【特許文献５】特開２０１３−１２６３２７号公報
【特許文献６】特開２００８−１２０２３９号公報
【発明の概要】
【発明が解決しようとする課題】
【０００６】
しかし、特開２００８−１２０２３９号公報に記載されたコイルユニットにおいては、ブロックコアは、互いに隙間なく配置されているため、必要となるフェライト量が多くなり、製造コストが高くなる。
【０００７】
そこで、本願発明者等は、フェライトを複数の分割フェライトで形成し、各フェライト同士を間隔をあけて配置して、必要となるフェライト量の低減を図ることを検討した。
【０００８】
具体的に検討したフェライトは、コイルが配置される環状のコイル台と、このコイル台の内周縁部に接触するように配置されると共に、周囲がコイルによって取り囲まれる中央フェライトとを含む。
【０００９】
発明者等は、正方形形状の分割フェライトを互いに間隔をあけて環状に配置することでコイル台を形成し、中央フェライトも、正方形形状の分割フェライトを間隔をあけて配置することで形成した。
【００１０】
しかし、中央フェライトの角部に位置する分割フェライトと、コイル台の角部に位置する分割フェライトとは、互いに点接触することになり、接触面積が小さい。そのため、コイルに電流が流れ、または、外部からの磁束がコイルと鎖交する際に、上記の分割フェライトの接触部分で磁気飽和が生じるおそれがあることを見出した。
【００１１】
そこで、発明者等は、コイル台をコイル台の中心から放射状に分割して、８つの直角台形形状の分割フェライトを環状に配置することでコイル台を形成した。具体的には、コイル台の内周に各分割フェライトの短辺部が配列し、コイル台の外周に各分割フェライトの外周が配列するように、各分割フェライトを配置した。これにより、コイル台上に中央フェライトを配置した場合において、各分割フェライトは、直角台形の短辺部が中央フェライトと接触することになり、各分割フェライトと、中央フェライトとの接触面積を確保することができる。
【００１２】
また、中央フェライトがないコイルユニットに適用する場合においても、コイル台を形成する分割フェライトの形状を単一形状にすることができる。
【００１３】
しかし、上記のコイル台においては、サイズの大きなコイル台を形成することができないという課題が生じる。
【００１４】
一般的に、分割フェライトは、フェライトを構成する紛体状の原料を金型で成形し、その成形体を焼成することで形成されている。大きな分割フェライトを製造する場合には、焼成する際に大きな成形体を焼成する必要が生じ、焼成する際に成形体に温度分布に偏りが生じやすく、割れや亀裂の発生が生じやすい。そのため、現状においては、大きな分割フェライトを製造することは困難である。
【００１５】
このため、上記の発明者等が検討したコイル台においては、小型のコイル台しか形成できないという課題があることを見出した。
【００１６】
本発明は、上記のような課題に鑑みてなされたものであって、その目的は、大型のコイル台にも適用することができると共に、仮に、コイル台の上面に中央フェライトが配置されたとしても、当該中央フェライトとの接触面積を確保することができるコイル台を備えたコイルユニットを提供することである。
【課題を解決するための手段】
【００１７】
本発明に係るコイルユニットは、１つの局面では、コイルと、コイルが配置される環状のコイル台を含み、複数の分割フェライトによって形成されたフェライトとを備える。上記コイル台は、複数の角部をする。上記コイル台は、角部を形成すると共に互いに間隔をあけて設けられた複数の角片と、角片間に設けられたサイド片とを含む。上記分割フェライトは、短辺部と、短辺部から間隔をあけて設けられると共に短辺部よりも長い長辺部と、短辺部の一端および長辺部の一端とを接続する第１辺部と、短辺部の他端および長辺部の他端を接続すると共に第１辺部よりも長い第２辺部とを含む。上記複数の分割フェライトは、角片を形成する第１分割フェライトおよび第２分割フェライトと、サイド片を形成する第３分割フェライトおよび第４分割フェライトとを含む。上記第１分割フェライトと第２分割フェライトとは、第２辺部同士が対向するように配置され、角片の内周辺は、第１分割フェライトの短辺部と第２分割フェライトの短辺部とによって形成され、角片の外周辺は、第１分割フェライトの長辺部と第２分割フェライトの長辺部とによって形成される。上記第３分割フェライトと第４分割フェライトとは、第２辺部同士が対向するように配置される。上記サイド片の内周辺は、第３分割フェライトの短辺部と、第４分割フェライトの長辺部とによって形成され、サイド片の外周辺は、第３分割フェライトの長辺部と、第４分割フェライトの短辺部によって形成される。
【００１８】
上記のコイルユニットは、コイル台を同じ分割フェライトで形成することができ、製造コストの低減を図ることができる。
【００１９】
また、分割フェライトを組み合わせることで、コイル台の角片およびサイド片が形成されており、各分割フェライトの大きさを小さく抑えることができる。
【００２０】
さらに、各分割フェライトの短辺部または長辺部が、コイル台の内周縁部に位置している。このため、仮に、コイル台の内周縁部に接触するように中央フェライトが配置されたとしても、各分割フェライトの短辺部または長辺部が中央フェライトと接触することになり、各分割フェライトと中央フェライトとの接触面積を確保することができ、磁気飽和が生じることを抑制することができる。
【００２１】
好ましくは、フェライトは、コイル台の内周縁部と接触するように配置されると共に、周囲をコイルによって囲まれた中央フェライトを含む。上記中央フェライトは、複数の角部を有する。上記中央フェライトは、中央フェライトの角部を形成すると共に、環状に配置された複数の中央角片を含む。上記複数の分割フェライトは、中央角片を形成する第５分割フェライトおよび第６分割フェライトを含む。上記第５分割フェライトと第６分割フェライトは、第２辺部同士が対向するように配置される。中央角片の内周辺は、第５分割フェライトの短辺部と第６分割フェライトの短辺部とによって形成される。上記中央角片の外周辺は、第５分割フェライトの長辺部と第６分割フェライトの長辺部とによって形成される。
【００２２】
上記のコイルユニットによれば、中央フェライトもコイル台を形成する分割フェライトと同一形状の分割フェライトで形成することができる。
【発明の効果】
【００２３】
本発明に係るコイルユニットによれば、大型のコイル台にも適用することができると共に、仮にコイル台の上面に中央フェライトが配置されたとしても、各分割フェライトと中央フェライトとの接触面積を確保することができる。
【図面の簡単な説明】
【００２４】
【図１】非接触充電システム１を模式的に示す模式図である。
【図２】非接触充電システム１を模式的に示す回路図である。
【図３】送電装置３を示す分解斜視図である。
【図４】フェライト３０を示す平面図である。
【図５】コイル台３１を示す平面図である。
【図６】分割フェライト３５を示す平面図である。
【図７】角片４１を示す平面図である。
【図８】サイド片４２を示す平面図である。
【図９】中央フェライト３２を示す平面図である。
【図１０】中央角片４６を示す平面図である。
【図１１】フェライト３０の一部を示す平面図である。
【図１２】比較例に係るコイル台３１Ａを示す平面図である。
【図１３】受電装置５を示す分解斜視図である。
【図１４】フェライト７０を示す平面図であり、受電装置５よりも下方からフェライト７０を平面視したときの平面図である。
【図１５】フェライト３０の変形例を示す平面図である。
【図１６】分割フェライト３５の変形例を示す平面図である。
【発明を実施するための形態】
【００２５】
図１は、非接触充電システム１を模式的に示す模式図であり、図２は、非接触充電システム１を模式的に示す回路図である。図１および図２に示すように、非接触充電システム１は、車両２に搭載された受電ユニット４と、受電ユニット４に非接触で電力を送電する送電装置３とを備える。
【００２６】
受電ユニット４は、送電装置３から送電される電力を受電する受電装置５と、受電装置５が受電した交流電力を直流電力に変換すると共に電圧を調整する整流器６と、整流器６から供給される直流電力を蓄電するバッテリ７とを含む。
【００２７】
バッテリ７に蓄電された電力は、図示しない駆動用モータなどに供給され、駆動用モータは車輪を駆動する。
【００２８】
受電装置５は、整流器６に接続された受電コイル８およびコンデンサ９を含み、受電コイル８およびコンデンサ９によって直列ＬＣ共振回路が形成されている。
【００２９】
送電装置３は、電源１０に接続された周波数変換器１１と、周波数変換器１１に接続された送電コイル１２およびコンデンサ１３とを含む。
【００３０】
周波数変換器１１は、電源１０から供給される交流電力の周波数を調整して送電コイル１２およびコンデンサ１３に供給すると共に、送電コイル１２およびコンデンサ１３に供給する電圧を調整する。送電コイル１２およびコンデンサ１３によって直列ＬＣ共振回路が形成されている。
【００３１】
送電コイル１２およびコンデンサ１３によって形成された共振回路の共振周波数と、受電コイル８およびコンデンサ９によって形成された共振回路の共振周波数とは、一致または実質的に一致するように形成されている。
【００３２】
送電コイル１２およびコンデンサ１３によって形成された共振回路のＱ値と、受電コイル８およびコンデンサ９によって形成された共振回路のＱ値は、いずれも、１００以上である。
【００３３】
図３は、送電装置３を示す分解斜視図である。この図３に示すように、送電装置３は、コイルユニット１５と、このコイルユニット１５を内部に収容する筐体１６とを含む。
【００３４】
筐体１６は、上方に向けて開口する開口部が形成されたケース本体２０と、ケース本体２０の開口部を閉塞するように配置された樹脂蓋２１とを含む。
【００３５】
ケース本体２０は、ベース板２２と、このベース板２２の外周縁部に設けられた周壁部２３と、ベース板２２の中央部に形成され、内部に周波数変換器１１やコンデンサ１３を収容する収容部２４とを含む。コイルユニット１５は、フェライト３０と、送電コイル１２とを含む。
【００３６】
図４は、フェライト３０を示す平面図である。この図４に示すように、フェライト３０は、送電コイル１２が上面に配置された環状のコイル台３１と、コイル台３１の上面に配置された中央フェライト３２とを含み、フェライト３０は、複数の分割フェライト３５によって形成されている。
【００３７】
コイル台３１は環状に形成されており、コイル台３１の中央部には、開口部３６が形成されている。中央フェライト３２は、コイル台３１の内周縁部に接触するように、コイル台３１の上面に配置されている。なお、図３に示すように、コイル台３１の上面には送電コイル１２が配置されており、中央フェライト３２は、送電コイル１２によって取り囲まれている。
【００３８】
図５は、コイル台３１を示す平面図である。コイル台３１は、複数の角部４０を含み、多角形形状に形成されている。
【００３９】
コイル台３１は、角部４０を形成する複数の角片４１と、角片４１間に配置された複数のサイド片４２とを含む。角片４１およびサイド片４２は、分割フェライト３５を組み合わせることで形成されている。
【００４０】
図６は、分割フェライト３５を示す平面図である。この図６に示すように、分割フェライト３５は、台形形状に形成されている。
【００４１】
分割フェライト３５は、短辺５０と、短辺５０から間隔をあけて配置された長辺５１と、短辺５０の一端および長辺５１の一端を接続する接続辺５２（第１辺部）と、長辺５１の他端および長辺５１の他端を接続する斜辺５３とを含む。なお、斜辺５３の長さは、接続辺５２の長さよりも長い。
【００４２】
なお、この図６に示す例においては、分割フェライト３５は、直角台形形状に形成されているが、必ずしも、直角台形形状に形成されている必要はなく、接続辺５２が短辺５０および長辺５１に対して直角に接続されている必要はない。
【００４３】
図７は、角片４１を示す平面図である。この図７に示すように、角片４１は、分割フェライト３５Ａと、分割フェライト３５Ｂを含み、分割フェライト３５Ａの斜辺５３Ａと、分割フェライト３５Ｂの斜辺５３Ｂとが対向するように配置されている。
【００４４】
そして、角片４１の内周辺は、分割フェライト３５Ａの短辺５０Ａと、分割フェライト３５Ｂの短辺５０Ｂによって形成されている。
【００４５】
また、角片４１の外周辺は、分割フェライト３５Ａの長辺５１Ａと、分割フェライト３５Ｂの長辺５１Ｂによって形成されている。
【００４６】
分割フェライト３５Ａの斜辺５３Ａと、分割フェライト３５Ｂの斜辺５３Ｂとの間には、隙間が形成されている。なお、当該隙間は、必須ではなく、分割フェライト３５Ａと分割フェライト３５Ｂを接触させてもよい。
【００４７】
図８は、サイド片４２を示す平面図である。この図８に示すように、サイド片４２は、分割フェライト３５Ｃおよび分割フェライト３５Ｄを含む。分割フェライト３５Ｃと、分割フェライト３５Ｄは、互いの斜辺５３Ｃおよび斜辺５３Ｄが対向するように配置されている。
【００４８】
そして、分割フェライト３５Ｃの長辺５１Ｃと、分割フェライト３５Ｄの短辺５０Ｄによって、サイド片４２の内周辺が形成されている。また、分割フェライト３５Ｃの短辺５０Ｃと、分割フェライト３５Ｄの長辺５１Ｃによってサイド片４２の外周辺が形成されている。
【００４９】
そして、図５に示すように、各角片４１間にサイド片４２を配置することでコイル台３１が形成されている。
【００５０】
図９は、中央フェライト３２を示す平面図である。この図９に示すように、中央フェライト３２は、複数の角部４５を含む。中央フェライト３２は、角部４５を形成する複数の中央角片４６を含み、この中央角片４６を環状に配置することで形成されている。
【００５１】
図１０は、中央角片４６を示す平面図である。この図１０に示すように、中央角片４６は、分割フェライト３５Ｅと分割フェライト３５Ｆとを含む。
【００５２】
分割フェライト３５Ｅと、分割フェライト３５Ｆとは、互いの斜辺５３Ｅと斜辺５３Ｆとが対向するように配置されている。
【００５３】
そして、中央角片４６の内周辺は、分割フェライト３５Ｅ，３５Ｆの短辺５０Ｅ，５０Ｆによって形成されている。また、中央角片４６の外周辺は、長辺５１Ｅ，５１Ｆによって形成されている。
【００５４】
なお、中央角片４６の各端辺は、接続辺５２Ｅまたは接続辺５２Ｆによって形成されている。
【００５５】
このように形成された中央角片４６を環状に配置することで、中央フェライト３２が形成されている。具体的には、中央角片４６の端辺部同士を対向させるように配置されている。
【００５６】
図１１は、フェライト３０の一部を示す平面図である。この図１１に示すように、角片４１およびサイド片４２の内周辺上に、中央角片４６が配置されている。
【００５７】
なお、この図１１においては、分割フェライト３５Ｅおよび分割フェライト３５Ｆを含む中央角片４６Ａの隣に、分割フェライト３５Ｇおよび分割フェライト３５Ｈを含む中央角片４６Ｂが配置されている。
【００５８】
そして、分割フェライト３５Ａ，３５Ｂを含む角片４１Ａと、分割フェライト３５Ｃ，３５Ｄを含むサイド片４２と、分割フェライト３５Ｉ，３５Ｊを含む角片４１Ｂとが配列している。
【００５９】
ここで、分割フェライト３５Ａの短辺５０Ａの一部は、分割フェライト３５Ｅと分割フェライト３５Ｆとの間の隙間から露出している。
【００６０】
分割フェライト３５Ｅと分割フェライト３５Ｆとの隙間の距離は、短辺５０の長さよりも遥かに短く、短辺５０Ａのうち上記隙間から露出する部分の長さは、隙間の距離よりも短い。このため、短辺５０Ａの大部分は、分割フェライト３５Ｅの下面に位置している。
【００６１】
これにより、短辺５０Ａの大部分およびその近傍に位置する部分が、分割フェライト３５Ａと接触しており、分割フェライト３５Ａと、分割フェライト３５Ｅとの接触面積が確保されている。これにより、送電時に、送電コイル１２の周囲に磁束が形成されコイル台３１内に磁束が流れた際に、分割フェライト３５Ａと分割フェライト３５Ｅとの接触部分で、磁気飽和が発生することを抑制することができる。
【００６２】
同様に、短辺５０Ｂの大部分およびその近傍に位置する部分が分割フェライト３５Ｆの下面と接触している。これにより、分割フェライト３５Ｂと分割フェライト３５Ｆとの接触面積が確保されており、電力送電時に、分割フェライト３５Ｂおよび分割フェライト３５Ｆの接触部分で磁気飽和が発生することを抑制することができる。
【００６３】
次に、分割フェライト３５Ｃの長辺５１Ｃの一部が、分割フェライト３５Ｆと分割フェライト３５Ｇとの隙間から露出している。ここで、分割フェライト３５Ｆおよび分割フェライト３５Ｇの間の隙間の長さは、長辺５１Ｃよりも遥かに短い。このため、長辺５１Ｃの大部分は分割フェライト３５Ｆまたは分割フェライト３５Ｇの下面に接触している。このため、分割フェライト３５Ｃと、中央フェライト３２との接触面積は広く、分割フェライト３５Ｃの接触部分で磁気飽和が生じることが抑制されている。
【００６４】
分割フェライト３５Ｄにおいては、短辺５０Ｄの全部が、分割フェライト３５Ｇの下面と接触している。このため、分割フェライト３５Ｄと分割フェライト３５Ｇとの接触面積は、広く、分割フェライト３５Ｄの接触部分で磁気飽和が生じることが抑制されている。
【００６５】
このように、各角片４１およびサイド片４２はいずれも、中央フェライト３２との接触面積が確保されており、電力伝送時に、角片４１およびサイド片４２において、磁気飽和が生じることが抑制されている。コイル台３１は、複数の角片４１およびサイド片４２が配列することで形成されているため、コイル台３１において磁気飽和が生じることが抑制されている。
【００６６】
次に、分割フェライト３５Ｆにおいて、長辺５１Ｆの大部分は、分割フェライト３５Ｂまたは分割フェライト３５Ｃの上面と接触している。長辺５１Ｆのうち、分割フェライト３５Ｂ，３５Ｃの間の隙間に位置する部分のみが、コイル台３１と接触していない。分割フェライト３５Ｂ，３５Ｃ間の距離は、長辺５１Ｆよりも遥かに短いため、長辺５１Ｆの大部分は、分割フェライト３５Ｂまたは分割フェライト３５Ｃと接触している。このため、分割フェライト３５Ｆとコイル台３１との接触面積は広く、電力伝送時に、分割フェライト３５Ｆで磁気飽和することが抑制されている。
【００６７】
また、分割フェライト３５Ｇの長辺５１Ｇは、分割フェライト３５Ｃおよび分割フェライト３５Ｄの間の隙間と、分割フェライト３５Ｄと分割フェライト３５Ｉとの間の隙間から露出してる。その一方で、上記の分割フェライト３５Ｃ，３５Ｄ間の距離と、分割フェライト３５Ｄ，３５Ｉ間の距離との合計距離は、長辺５１Ｇよりも遥かに短い。このため、分割フェライト３５Ｇと、コイル台３１との接触面積は広く、電力伝送時に、分割フェライト３５Ｇにおいて磁気飽和が生じることが抑制されている。
【００６８】
このため、中央フェライト３２を形成する各分割フェライト３５においても、電力伝送時に磁気飽和が生じることが抑制されている。
【００６９】
ここで、図５に示すように、本実施の形態に係るコイル台３１は、角片４１を間隔をあけて配置し、各角片４１の間にサイド片４２を配置することで形成されている。
【００７０】
図１２は、比較例に係るコイル台３１Ａを示す平面図である。この図１２に示すコイル台３１Ａは、４つの角片９０によって形成されている。角片９０は、分割フェライト３５Ｌと、分割フェライト３５Ｋとを含み、分割フェライト３５Ｌと分割フェライト３５Ｋは、互いの斜辺５３Ｌ，５３Ｋが対向するように配置されている。
【００７１】
そして、分割フェライト３５Ｌの長辺５１Ｌと、分割フェライト３５Ｋの長辺５１Ｋとによって、角片９０の外周辺が形成されている。
【００７２】
このように構成された角片９０を環状に配置することで、コイル台３１Ａが形成されており、コイル台３１Ａの外周の一辺の長さは、分割フェライト３５の長辺５１の二つ分の長さと、角片９０間の隙間の距離との合計になる。
【００７３】
その一方で、図４に示すコイル台３１の外周の一辺の長さは、分割フェライト３５の長辺５１の３つ分の長さと、短辺５０の長さと、２つの隙間の距離の合計となる。このため、本実施の形態に係るコイル台３１の方が、コイル台３１Ａよりも大きくなる。
【００７４】
仮に、図１２に示すコイル台３１Ａの一辺の長さが本実施の形態に係るコイル台３１の一辺の長さと同じようになるように形成しようとすると、図１２に示す分割フェライト３５Ｌ，３５Ｋの大きさを大きくする必要が生じる。
【００７５】
このような大きな分割フェライトを形成しようとすると、製造過程において分割フェライトに割れや亀裂が生じやすくなり、現実的には、製造することが非常に困難となる。
【００７６】
その一方で、図４に示すように、本実施の形態においては、角片４１の間にサイド片４２を配置することで、コイル台３１の大きさを確保しつつ、各分割フェライト３５の大きさを小さくすることができる。
【００７７】
さらに、コイル台３１は、同一形状の分割フェライト３５で形成されており、複数種類の分割フェライトで形成した場合よりも製造コストを低く抑えることができる。
【００７８】
また、図４に示すように、中央フェライト３２も、コイル台３１を形成する分割フェライト３５と同じ形状の分割フェライトで形成されている。このため、フェライト３０全体においても、製造コストの低減を図ることができる。
【００７９】
図１３は、受電装置５を示す分解斜視図である。この図１３に示すように、受電装置５は、コイルユニット５５と、このコイルユニット５５を収容する筐体５６とを含む。
【００８０】
筐体５６は、下方に向けて開口するケース本体６０と、ケース本体６０の開口部を閉塞するように設けられた樹脂蓋６１とを含む。
【００８１】
ケース本体６０は、ベース板６２と、ベース板６２の外周縁部に形成された周壁部６３と、周壁部６３の下面に形成され、整流器６やコンデンサ９を収容する収容部６４とを含む。コイルユニット５５は、フェライト７０と、フェライト７０の下面に配置された受電コイル８とを含む。
【００８２】
図１４は、フェライト７０を示す平面図であり、受電装置５よりも下方からフェライト７０を平面視したときの平面図である。
【００８３】
この図１４に示すように、フェライト７０は、送電コイル１２が下面に配置されるコイル台７１と、コイル台７１の下面に配置された中央フェライト７２を含み、フェライト７０は、複数の分割フェライト３５によって形成されてる。
【００８４】
コイル台７１は、環状に形成されており、コイル台７１の中央部には、開口部７６が形成されている。中央フェライト７２は、コイル台７１の内周縁部に接触するように、コイル台７１の下面に配置されている。なお、図１１に示すように、コイル台７１の下面には、受電コイル８が配置されており、受電コイル８は、中央フェライト７２の周囲を取り囲むように配置されている。ここで、フェライト７０は、図４に示すフェライト３０と同様に形成されている。
【００８５】
つまり、コイル台７１は、複数の角部８０を含み、コイル台７１は、角部８０を形成する角片８１と、この角片８１間に配置されたサイド片８２とを含む。
【００８６】
そして、図７に示すように、角片８１は、角片４１と同様に形成されている。また、図８に示すように、サイド片８２は、サイド片４２と同様に形成されている。
【００８７】
中央フェライト７２は、複数の角部８５を含む。中央フェライト７２は、この角部８５を形成する複数の中央角部８６を環状に配置することで形成されている。なお、中央角部８６も、図１０に示すように、中央角片４６と同様に形成されている。
【００８８】
このように、受電装置５に設けられたコイル台７１およびフェライト７０は、送電装置３に設けられたコイル台３１およびフェライト３０と同様に構成されているため、コイル台３１およびフェライト３０と同様の作用効果を得ることができる。
【００８９】
なお、上記の実施の形態においては、分割フェライト３５を直角台形であるものを用いた例について説明したが、分割フェライト３５の形状としては、当該形状に限られない。
【００９０】
図１５は、フェライト３０の変形例を示す平面図であり、図１６は、分割フェライト３５の変形例を示す平面図である。
【００９１】
図１６に示す例においては、分割フェライト３５は、短辺５０と、短辺５０から離れた位置に設けられた長辺５１と、短辺５０の一辺および長辺５１の一辺を接続する接続辺５２と、短辺５０の他端および長辺５１の他端を接続する斜辺５３とを含む。そして、斜辺５３の長さは、接続辺５２よりも長くなるように形成されている。その一方で、短辺５０と接続辺５２とのなす角度は、９０度ではなく、９０度よりも小さい。また、長辺５１と接続辺５２のなす角度も、９０度ではなく、９０度よりも大きい。
【００９２】
そして、図１６に示す分割フェライト３５を複数配置することで、図１５に示すフェライト３０が形成されている。この図１５に示す例においても、角片４１は、分割フェライト３５Ａおよび分割フェライト３５Ｂによって形成され、各分割フェライト３５Ａ，３５Ｂの斜辺５３が互いに対向するように配置されている。分割フェライト３５Ａ，３５Ｂの各短辺５０によって角片４１の内周辺が形成され、分割フェライト３５Ａ，３５Ｂの各長辺５１によって角片４１の外周辺が形成されている。
【００９３】
また、サイド片４２は、分割フェライト３５Ｃおよび分割フェライト３５Ｄによって形成されており、各分割フェライト３５Ｃ，３５Ｄの斜辺５３が互いに対向するように配置されている。サイド片４２の内周辺は、各分割フェライト３５Ｃの長辺５１と、分割フェライト３５Ｄの短辺５０によって形成され、サイド片４２の外周辺は、分割フェライト３５Ｃの短辺５０と、分割フェライト３５Ｄの長辺５１とによって形成されている。また、中央角片４６も、分割フェライト３５Ｆ，３５Ｅによって形成されている。
【００９４】
そして、図１５に示すように、コイル台３１を形成する各分割フェライト３５は、短辺５０の大部分または長辺５１の大部分において、中央フェライト３２と接触している。このため、図１５に示す例においても、各分割フェライト３５において、電力伝送中において、磁気飽和が生じることを抑制することができる。このように、分割フェライト３５としては、各種の形状を採用することができる。
【００９５】
なお、今回開示された実施の形態は全ての点で例示であって制限的なものではないと考えられるべきである。本発明の範囲は上記した説明ではなく特許請求の範囲によって示され、特許請求の範囲と均等の意味および範囲内での全ての変更が含まれることが意図される。
【産業上の利用可能性】
【００９６】
本発明は、コイルユニットに適用することができる。
【符号の説明】
【００９７】
１  非接触充電システム、２  車両、３  送電装置、４  受電ユニット、５  受電装置、６  整流器、７  バッテリ、８  受電コイル、９，１３  コンデンサ、１０  電源、１１  周波数変換器、１２  送電コイル、１５，５５  コイルユニット、１６，５６  筐体、２０，６０  ケース本体、２１，６１  樹脂蓋、２２，６２  ベース板、２３，６３  周壁部、２４，６４  収容部、３０，７０  フェライト、３１，３１Ａ，７１  コイル台、３２，７２  中央フェライト、３５，３５Ａ，３５Ｂ，３５Ｃ，３５Ｄ，３５Ｅ，３５Ｆ，３５Ｇ，３５Ｉ，３５Ｊ，３５Ｋ，３５Ｌ  分割フェライト、３６，７６  開口部、４０，４５，８０，８５  角部、４１，４１Ａ，４１Ｂ，８１，９０  角片、４２，８２  サイド片、４６，４６Ａ，４６Ｂ  中央角片、５０，５０Ａ，５０Ｂ，５０Ｃ，５０Ｄ，５０Ｅ，５０Ｆ，５０Ｇ  短辺、５１，５１Ｃ，５１Ｅ，５１Ｆ，５１Ｇ，５１Ｋ，５１Ｌ  長辺、５２，５２Ｅ，５２Ｆ  接続辺、５３，５３Ａ，５３Ｂ，５３Ｃ，５３Ｄ，５３Ｅ，５３Ｆ，５３Ｋ，５３Ｌ  斜辺、８６  中央角部。
【図１】
0006327216.tif 000002
【図２】
0006327216.tif 000003
【図３】
0006327216.tif 000004
【図４】
0006327216.tif 000005
【図５】
0006327216.tif 000006
【図６】
0006327216.tif 000007
【図７】
0006327216.tif 000008
【図８】
0006327216.tif 000009
【図９】
0006327216.tif 000010
【図１０】
0006327216.tif 000011
【図１１】
0006327216.tif 000012
【図１２】
0006327216.tif 000013
【図１３】
0006327216.tif 000014
【図１４】
0006327216.tif 000015
【図１５】
0006327216.tif 000016
【図１６】
0006327216.tif 000017